(57)【要約】【課題】防湿性及び耐久性に優れるアルバム用台紙及び該アルバム用台紙を備えてなるアルバムの提供を課題とする。【解決手段】写真画像等の画像を印刷表示した印刷体２２を接着させて支持するためのアルバム用台紙２１であって、紙からなる基材層２１ａと、基材層２１ａに積層される接着剤からなる接着剤層２１ｃとの間に、合成樹脂からなるシート層２１ｂを介在させてなるアルバム用台紙２１である。前記シート層２１ｂは、ポリエチレンテレフタレートを主原料とするフィルムからなる。【選択図】      図３
2014061604.tif 000002
【特許請求の範囲】
【請求項１】
写真画像等の画像を印刷表示した印刷体を接着させて支持するためのアルバム用台紙であって、紙からなる基材層と、該基材層に積層される接着剤からなる接着剤層との間に、合成樹脂からなるシート層を介在させてなることを特徴とするアルバム用台紙。
【請求項２】
シート層は、ポリエチレンテレフタレートを主原料とするフィルムからなることを特徴とする請求項１に記載のアルバム用台紙。
【請求項３】
見開き自在な複数面を備える本体部に、写真画像等の画像を表示するページ部を貼り付けてなるアルバムであって、前記ページ部は、アルバム用台紙と、該アルバム用台紙に接着される写真画像等の画像を印刷表示した印刷体とを少なくとも備えてなるページ構成体を複数連結させてなり、前記アルバム用台紙は、紙からなる基材層と、該基材層に積層される接着剤からなる接着剤層との間に、合成樹脂からなるシート層を介在させてなることを特徴とするアルバム。
【請求項４】
印刷体の表面に、表面保護膜を被覆させてあることを特徴とする請求項３に記載のアルバム。
【発明の詳細な説明】
【技術分野】
【０００１】
本発明は、防湿性及び耐久性に優れるアルバム用台紙及び該アルバム用台紙を用いてなるアルバムに関する。
【背景技術】
【０００２】
従来、お宮参り、入学式、成人式、婚礼等の記念行事に際しての記念写真を保存、閲覧することができるものとして、アルバムが用いられている。
このようなアルバムは、厚紙からなる芯材の表裏全面に感圧性接着剤を塗布し、表面を透明の保護フィルムで剥離自在に被覆したアルバム用台紙を複数枚連結させて製本した構成で形成されているもの（いわゆるブック型アルバム）が一般的である。
またこのような従来のアルバムにおいては、保護フィルムを剥離し、芯材と保護フィルムとの間に写真を挟み込むことで写真を保存、閲覧するものが一般的である。
このようなアルバムを示す従来技術として、例えば下記特許文献１がある。
【先行技術文献】
【特許文献】
【０００３】
【特許文献１】特許第３６７０７５６号公報
【発明の概要】
【発明が解決しようとする課題】
【０００４】
上記特許文献１に示すような従来のアルバムは、写真を容易に着脱できるというメリットがある。
しかしこのような従来のアルバムは、既述したように、厚紙からなる芯材の表裏全面に感圧性接着剤を塗布し、表面を透明の保護フィルムで剥離自在に被覆したアルバム用台紙を用いると共に、保護フィルムを剥離し、芯材と保護フィルムとの間に写真を挟み込む構成であることから、アルバム用台紙の防湿性が十分でなく、アルバム用台紙に反りやうねりが発生するという問題があった。
またアルバム用台紙の芯材が厚紙のみで形成される構成となることで、アルバム用台紙の強度が十分でなく、耐久性が劣ることから、長期使用に向かないという問題があった。
【０００５】
そこで本発明は上記従来における問題点を解決し、防湿性及び耐久性に優れるアルバム用台紙及び該アルバム用台紙を備えてなるアルバムの提供を課題とする。
【課題を解決するための手段】
【０００６】
本発明のアルバム用台紙は、写真画像等の画像を印刷表示した印刷体を接着させて支持するためのアルバム用台紙であって、紙からなる基材層と、該基材層に積層される接着剤からなる接着剤層との間に、合成樹脂からなるシート層を介在させてなることを第１の特徴としている。
【０００７】
上記本発明の第１の特徴によれば、アルバム用台紙は、写真画像等の画像を印刷表示した印刷体を接着させて支持するためのアルバム用台紙であって、紙からなる基材層と、該基材層に積層される接着剤からなる接着剤層との間に、合成樹脂からなるシート層を介在させてなることから、合成樹脂からなるシート層を設ける構成とすることで、防湿性及び耐久性に優れるアルバム用台紙とすることができる。
【０００８】
また本発明のアルバム用台紙は、上記本発明の第１の特徴に加えて、シート層は、ポリエチレンテレフタレートを主原料とするフィルムからなることを第２の特徴としている。
【０００９】
上記本発明の第２の特徴によれば、上記本発明の第１の特徴による作用効果に加えて、シート層は、ポリエチレンテレフタレートを主原料とするフィルムからなることから、一段と防湿性及び耐久性に優れるアルバム用台紙とすることができる。
【００１０】
また本発明のアルバムは、見開き自在な複数面を備える本体部に、写真画像等の画像を表示するページ部を貼り付けてなるアルバムであって、前記ページ部は、アルバム用台紙と、該アルバム用台紙に接着される写真画像等の画像を印刷表示した印刷体とを少なくとも備えてなるページ構成体を複数連結させてなり、前記アルバム用台紙は、紙からなる基材層と、該基材層に積層される接着剤からなる接着剤層との間に、合成樹脂からなるシート層を介在させてなることを第３の特徴としている。
【００１１】
上記本発明の第３の特徴によれば、アルバムは、見開き自在な複数面を備える本体部に、写真画像等の画像を表示するページ部を貼り付けてなるアルバムであって、前記ページ部は、アルバム用台紙と、該アルバム用台紙に接着される写真画像等の画像を印刷表示した印刷体とを少なくとも備えてなるページ構成体を複数連結させてなり、前記アルバム用台紙は、紙からなる基材層と、該基材層に積層される接着剤からなる接着剤層との間に、合成樹脂からなるシート層を介在させてなることから、防湿性及び耐久性に優れるアルバムとすることができる。また本体部にページ部を貼り付けるだけでアルバムを形成することができることから、製造容易なアルバムとすることができる。
【００１２】
また本発明のアルバムは、上記本発明の第３の特徴に加えて、印刷体の表面に、表面保護膜を被覆させてあることを第４の特徴としている。
【００１３】
上記本発明の第４の特徴によれば、上記本発明の第３の特徴による作用効果に加えて、印刷体の表面に、表面保護膜を被覆させてあることから、印刷体に汚れや傷がつくことを効果的に防止することができる。
【発明の効果】
【００１４】
本発明のアルバム用台紙によれば、防湿性及び耐久性に優れるアルバム用台紙とすることができる。
また本発明のアルバムによれば、防湿性及び耐久性に優れるアルバムとすることができる。また製造容易なアルバムとすることができる。また印刷体に汚れや傷がつくことを効果的に防止することができるアルバムとすることができる。
【図面の簡単な説明】
【００１５】
【図１】本発明の実施形態に係るアルバムを示す図で、（ａ）はアルバムのページ部側を示す斜視図、（ｂ）はアルバムの本体部側を示す斜視図、（ｃ）はアルバムを折り畳んだ状態を示す底面図である。
【図２】本発明の実施形態に係るアルバムの分解斜視図である。
【図３】本発明の実施形態に係るアルバムを示す図で、（ａ）はアルバムのページ部を開いた状態を示す平面図、（ｂ）は（ａ）のＡ―Ａ線方向における断面のうち、１枚のページ構成体の断面を示す図である。
【図４】本発明の実施形態に係るアルバムの製造方法を簡略化して示す正面図である。
【図５】本発明の実施形態に係るアルバムの製造方法を簡略化して示す正面図である。
【図６】本発明の実施形態に係るアルバムの製造方法を簡略化して示す図で、（ａ）は印刷体をアルバム用台紙に貼り付ける状態を示す正面図、（ｂ）は印刷体がアルバム用台紙に貼り付けられることでページ構成体が形成された状態を示す正面図、（ｃ）は複数のページ構成体を連結させる状態を示す斜視図である。
【図７】本発明の実施形態に係るアルバムの製造方法を簡略化して示す図で、（ａ）はページ部が形成される状態を示す正面図、（ｂ）は本体部にページ部を貼り付けた状態を示す正面図、（ｃ）はアルバムが完成した状態を示す全体斜視図である。
【図８】従来のアルバムを示す図で、（ａ）はアルバムのページ部側を示す斜視図、（ｂ）はアルバムの本体部側を示す斜視図である。
【図９】従来のアルバムにおける１枚のアルバム用台紙の断面を示す図である。
【発明を実施するための形態】
【００１６】
以下の図面を参照して、本発明の実施形態に係るアルバム用台紙２１及びアルバム用台紙２１を用いてなるアルバム１を説明し、本発明の理解に供する。しかし、以下の説明は本発明の実施形態であって、特許請求の範囲に記載の内容を限定するものではない。
【００１７】
まず図１〜図３を参照して、本発明の実施形態に係るアルバム用台紙２１及びアルバム用台紙２１を用いてなるアルバム１を説明する。
【００１８】
本発明の実施形態に係るアルバム１は、画像を表示するページ構成体２０ａを見開き自在に複数連結させて備えるアルバムである。
また印刷形成した顔写真等の写真画像Ｐや、イラストや図形等の装飾画像Ｓを各ページに表示（掲載）してあるアルバムである。
なお、ここで「写真画像Ｐ」とは、画像のうち、デジタルカメラ等の写真機（いわゆるカメラ）で撮影された画像を意味するものとし、「装飾画像Ｓ」とは、画像のうち、写真画像以外の画像（例えばイラスト、飾り枠、文字、数字等）を意味するものとする。
このアルバム１は、図１、図２に示すように、本体部１０と、ページ部２０とから構成される。
【００１９】
前記本体部１０は、アルバム１の骨格（芯）をなすものである。
本実施形態においては、図２に示すように、この本体部１０は、芯材１１と、表紙１２と、背板１３とから構成される。
【００２０】
前記芯材１１は、本体部１０の土台をなすものである。
本実施形態においては、四角形からなる板状部材で芯材１１を形成する構成としてある。また本実施形態においては、同一形状、同一大きさ、同一厚みである２枚の芯材１１を備える構成としてある。
また本実施形態においては、後述するように、アルバム１を形成した状態において、芯材１１の表裏の一面側（本実施形態においては、図２に示す芯材１１のうら面１１ａ側）に表紙１２を設けると共に、残る他面側（本実施形態においては、図２に示す芯材１１のおもて面１１ｂ側）に写真画像等の画像を印刷表示するページ部２０を設ける構成としてある。
なお芯材１１を形成する板状部材としては、厚紙、チップボール、ＭＤＦボード等を用いることができる。
本実施形態においては、板状部材としてチップボールを用いる構成としてある。
また図３（ａ）に破線の四角形で示す芯材１１の縦の長さＢは、２９７ｍｍ程度とすることが望ましい。
また図３（ａ）に破線の四角形で示す芯材１１の横の長さＣは、２８５ｍｍ程度とすることが望ましい。
また芯材１１の厚みは、２ｍｍ〜３ｍｍ程度とすることが望ましい。
【００２１】
前記表紙１２は、アルバム１の表紙を構成すると共に、複数の芯材１１（本実施形態においては２枚の芯材１１）を折り畳み可能に連結させるためのものである。
この表紙１２は、図２に簡略化して示すように、シート状部材（いわゆるシート）からなり、表裏の何れか一面側（本実施形態においては、図２に示すうら面１２ａ側）を、表紙面としてあると共に、残る他面側（本実施形態においては、図２に示すおもて面１２ｂ側）を、芯材１１、背板１３を貼り付けるための貼り付け用面としてある。
また図１（ｂ）に示すように、表紙面となるうら面１２ａに装飾画像Ｓを備える構成としてある。
この装飾画像Ｓは、例えば画像描画ソフトや画像処理ソフトを用いてシート状部材に印刷形成することができる。
本実施形態においては、画像描画ソフトや画像処理ソフトを用いて所定の装飾画像Ｓを形成し、シート状部材に印刷する構成としてある。
またシート状部材への装飾画像Ｓの印刷は、例えばインクジェット印刷や、印画紙出力を用いて行うことができる。
本実施形態においては、プリンターを用いて水性顔料インクによるインクジェット印刷で行う構成としてある。
【００２２】
また本実施形態においては、後述するように、並列配置させた複数（２枚）の芯材１１の表面全体に、１枚のシート状部材を被覆させることで、複数の芯材１１を折り畳み可能に連結させた状態で表紙１２を形成する構成としてある。
つまり図３（ａ）に一部を示すように、一定の間隔を空けた状態で並列配置させた２枚の芯材１１の表面全体に、表紙１２を構成する１枚のシート状部材を一体的に被覆させることで、隣接する芯材１１の間に形成される領域を屈曲領域Ｋとし、この屈曲領域Ｋで表紙１２を屈曲可能とさせ、また図１（ｃ）に示すように、１枚のシート状部材からなる表紙１２で２枚の芯材１１（破線で示す）を折り畳み可能に連結させる構成としてある。
なお表紙１２を形成するシート状部材としては、ビニールレザーやフォトペーパー等を用いることができる。
本実施形態においては、シート状部材としてフォトペーパーを用いる構成としてある。
また表紙１２の厚みは、０．１ｍｍ〜０．２ｍｍ程度とすることが望ましい。
なお芯材１１に対する表紙１２の被覆方法は、例えば接着剤を介して表紙１２と芯材１１とを貼り付けることで行うことができる。
より具体的には、本実施形態においては後述するように、表紙１２を形成する１枚のシート状部材の所定位置に接着剤を塗布した後、２枚の芯材１１を表紙１２に貼り付けると共に、表紙１２の端部（図２に示す表紙１２の折り目線Ｌ１よりも外側の部分）を芯材１１のうら面１１ａ側からおもて面１１ｂ側へと折り返して接着させることで行う構成としてある。
なお接着剤としては、表紙１２を形成するシート状部材と芯材１１とを貼り合わせることができるものであれば、如何なるものを用いてもよい。
例えば両面テープ、にかわ等を用いることができる。
【００２３】
また本実施形態においては、詳しくは図示していないが、図２に示す表紙１２のうら面１２ａの表面に、表面保護膜を備える構成としてある。
この表面保護膜としては、例えば表面保護剤や透明の表面保護フィルム等を用いることができる。
また表面保護剤としては、ニス、液体ラミネート等を用いることができる。
また透明の表面保護フィルムとしては、ポリプロピレンフィルム、ポリエチレンフィルム等を用いることができる。
また本実施形態においては、表面保護膜として透明のフィルムを用い、うら面１２ａの表面に透明のフィルムをラミネート加工することで、うら面１２ａの表面に表面保護膜を被覆させる構成としてある。
また表面保護膜の厚みは、３２μｍ程度とすることが望ましい。
【００２４】
前記背板１３は、アルバム１における、いわゆる背表紙部分の骨格を形成すると共に、強度を補強するために配設される板状部材である。
この背板１３は、図３（ａ）に示すように、隣接する芯材１１の間に形成される表紙１２の屈曲領域Ｋに配置されると共に、芯材１１と同様に接着剤を介して表紙１２に貼り付けられる。
なお背板１３を形成する板状部材としては、厚紙、チップボール等を用いることができる。本実施形態においては、板状部材としてチップボールを用いる構成としてある。
また図３（ａ）に破線の四角形で示す背板１３の縦の長さＤは、既述した芯材１１の縦の長さＢより１ｍｍ程度短いことが望ましい。
また図３（ａ）に破線の四角形で示す背板１３の横の長さＥは、１５ｍｍ程度とすることが望ましい。
また背板１３の厚みは、２ｍｍ〜３ｍｍ程度とすることが望ましい。
【００２５】
前記ページ部２０は、写真画像Ｐや装飾画像Ｓを表示するためのものである。
本実施形態においては図１、図２に示すように、このページ部２０は、見開き自在に２つ折り可能な１枚の長方形からなる板状部材で形成されるページ構成体２０ａを複数連結させることで形成されている。
【００２６】
前記ページ構成体２０ａは図３（ｂ）に示すように、アルバム用台紙２１と、印刷体２２と、表面保護膜２３とから構成される。
【００２７】
前記アルバム用台紙２１は、主としてページ構成体２０ａの骨格を構成すると共に、印刷体２２を接着させて支持するためのものである。
このアルバム用台紙２１は、図３（ｂ）に示すように、基材層２１ａと、シート層２１ｂと、接着剤層２１ｃとから構成される。
【００２８】
前記基材層２１ａは、アルバム用台紙２１の芯材となる層である。
本実施形態においては、長方形の板状部材で基材層２１ａを形成する構成としてある。
より具体的には、図２に簡略化して示すように、見開き自在に２つ折り可能な１枚の長方形の板状部材で基材層２１ａを形成する構成としてある。
更に具体的には、中央に形成される折り目線（図示しない）に沿って２つ折り（谷折り）することで、同一大きさの２面を内側に対向させて形成することができると共に、それら２面を見開き自在とすることができる１枚の長方形からなる板状部材で基材層２１ａを形成する構成としてある。
なお基材層２１ａを形成する板状部材としては、上質紙等の紙を用いることができる。本実施形態においては、基材層２１ａを上質紙で形成する構成としてある。
また基材層２１ａを形成する板状部材の大きさは、少なくとも印刷体２２を２枚並列配置させて貼り付けることができる大きさ以上であることが必要である。
また基材層２１ａの厚みは、５２．３ｇ／ｍ２程度とすることが望ましい。
【００２９】
前記シート層２１ｂは、基材層２１ａと接着剤層２１ｃとの間に介在される層であり、アルバム用台紙２１の防湿性及び耐久性を向上させるための層である。
本実施形態においては、基材層２１ａの全面にシート層２１ｂを積層させる構成としてある。
なおこのシート層２１ｂとしては、合成樹脂をシート状に形成したものであれば如何なるものを用いてもよいが、好適には、ポリエチレンテレフタレートを主原料とするフィルムを用いることが望ましい。本実施形態においては、ポリエチレンテレフタレートを主原料とするフィルムでシート層２１ｂを形成する構成としてある。
また本実施形態においては、接着剤（図示しない）を介して基材層２１ａにシート層２１ｂを形成するフィルムを貼り付ける構成としてある。
なお基材層２１ａにシート層２１ｂを形成するフィルムを貼り付けるための接着剤としては、例えばウレタン系接着剤等を用いることができる。
またシート層２１ｂの厚みは、３８μｍ程度とすることが望ましい。
【００３０】
前記接着剤層２１ｃは、アルバム用台紙２１の表面を構成すると共に、印刷体２２を貼り付けるための接着剤からなる層である。
本実施形態においては、シート層２１ｂの全面に均一な厚みの接着剤層２１ｃを積層させる構成としてある。
なお接着剤層２１ｃを形成する接着剤としては、如何なる接着剤を用いてもよいが、好適には、感熱式接着剤（いわゆるホットメルト接着剤）を用いることが望ましい。本実施形態においては、感熱式接着剤で接着剤層２１ｃを形成する構成としてある。
また接着剤層２１ｃの厚みは、２０μｍ程度とすることが望ましい。
【００３１】
前記印刷体２２は、四角形の板状部材からなり、写真画像Ｐや装飾画像Ｓを印刷表示するためのものである。
本実施形態においては、１枚の印刷体２２に１乃至複数の写真画像Ｐ（顔写真）及び／又は１乃至複数の装飾画像Ｓ（イラスト、フレーム枠等）を印刷して設ける構成としてある。また詳しくは図示していないが、本実施形態においては、ページ部２０を構成する複数枚の印刷体２２にそれぞれ異なる画像を印刷する構成としてある。
この印刷体２２としては、印画紙、インクジェット紙等を用いることができる。
本実施形態においては、印刷体２２として印画紙を用いる構成としてある。
また本実施形態においては、図３（ａ）に示すように、印刷体２２の大きさを、芯材１１と略同一な大きさ（面積）とする構成としてある。
ここで「略同一な大きさ」とは、印刷体２２の大きさ（面積）が、芯材１１の大きさ（面積）に対して、９０％程度〜９５％程度の大きさ（面積）であることを意味するものとする。
より具体的には、図３（ａ）に示す印刷体２２の縦の長さＦは、２９０ｍｍ程度とすることが望ましい。
また印刷体２２の横の長さＧは、２９０ｍｍ程度とすることが望ましい。
また印刷体２２の厚みは、０．２ｍｍ〜０．３５ｍｍ程度とすることが望ましい。
また写真画像Ｐや装飾画像Ｓは、例えば画像描画ソフトや画像処理ソフトを用いて印刷体２２に印刷形成することができる。
本実施形態においては、画像描画ソフトや画像処理ソフトを用いて所定の写真画像Ｐや装飾画像Ｓ、或いは写真画像Ｐと装飾画像Ｓとの合成画像を形成し、シート状部材に印刷する構成としてある。
また印刷体２２への写真画像Ｐや装飾画像Ｓの印刷は、例えばインクジェット印刷や、印画紙出力を用いて行うことができる。
本実施形態においては、プリンターを用いて印画紙出力で行う構成としてある。
【００３２】
前記表面保護膜２３は、印刷体２２を保護するためのものである。
より具体的には、写真画像Ｐや装飾画像Ｓを備える印刷体２２に汚れや傷がつくことを防止すると共に、アルバム１を閉じた状態において隣接する印刷体２２同士が湿気等により接着することを防止するためのものである。
この表面保護膜２３としては、例えば表面保護剤や透明の表面保護フィルム等を用いることができる。
また表面保護剤としては、ＵＶニス、水性ラミネート等を用いることができる。
また透明の表面保護フィルムとしては、ポリエチレンフィルム等を用いることができる。
本実施形態においては、印刷体２２の表面全体にＵＶニスを塗布することで、印刷体２２の表面に表面保護膜２３を被覆させる構成としてある。
また表面保護膜２３の厚みは、４．５μｍ〜６．５μｍ程度とすることが望ましい。
【００３３】
このような構成からなるページ部２０は、以下のように形成される。
まず見開き自在な（２つ折り可能な）１枚のアルバム用台紙２１の接着剤層２１ｃに、表面保護膜２３を備える２枚の印刷体２２を並列配置させて貼り付けることで１枚のページ構成体２０ａを形成する。
その後、図６（ｃ）に簡略化して示すように、印刷体２２を貼り付けてある面が内側となるように１枚のページ構成体２０ａを２つ折りした状態で、接着剤５０を介して複数のページ構成体２０ａのうら面（印刷体２２を貼り付けていない面）同士を貼り合わせる。
なお接着剤としては、ページ構成体２０ａ同士を貼り合わせることができるものであれば、如何なるものを用いてもよい。例えば両面テープ、澱粉系接着剤、サクビ系接着剤等を用いることができる。
これにより、見開き自在な複数のページ構成体２０ａを備えてなるページ部２０が形成される。つまり画像を印刷表示した印刷体２２を複数連結させて備えるページ部２０が形成される。
そしてこのように形成されるページ部２０は、図示しない接着剤を介して本体部１０に貼り付けられる。より具体的には、図２に示す１対のうら面Ｒ（ページ部２０において写真画像Ｐ等の画像を表示していない面）が、本体部１０を形成する１対の芯材１１にそれぞれ図示しない接着剤を介して貼り付けられる。
なお接着剤としては、本体部１０とページ部２０とを貼り合わせることができるものであれば、如何なるものを用いてもよい。
例えば両面テープ等を用いることができる。
【００３４】
このような構成からなる本発明の実施形態に係るアルバム用台紙２１及びアルバム用台紙２１を用いてなるアルバム１は、以下の効果を奏する。
紙（上質紙）からなる基材層２１ａと、基材層２１ａに積層される接着剤からなる接着剤層２１ｃとの間に、合成樹脂からなるシート層２１ｂを介在させる構成、より具体的には、２つ折り（谷折り）することで、同一大きさの２面を内側に対向させて形成することができると共に、それら２面を見開き自在とすることができる１枚の板状部材（上質紙）からなる基材層２１ａの全面に合成樹脂からなるシート層２１ｂ（フィルム）を積層させる構成とすることで、優れた防湿性を備えるアルバム用台紙２１とすることができる。よって反りやうねりの発生を効果的に防止することができるアルバム用台紙２１とすることができる。またアルバム用台紙２１の強度を効果的に向上させることができる。よって特にアルバム１の閲覧時において、各ページが繰り返し開閉されることに伴い、アルバム用台紙２１の折り目部分（並列配置される２枚の印刷体２２の間の部分）の強度が低下し、アルバム用台紙２１が破断すること等を効果的に防止することができる。よって優れた耐久性を備えるアルバム用台紙２１とすることができる。
従って防湿性及び耐久性に優れ、長期使用に適したアルバム１とすることができる。
またアルバム用台紙２１及び印刷体２２の厚みを薄肉化した場合でも、十分な防湿性及び耐久性を備えるページ構成体２０ａを形成することができる。よってアルバム１の薄肉化及び軽量化を実現することができる。
また図３（ｂ）に示すように、並列配置される１対の印刷体２２間には、アルバムの開閉時及び各ページをめくる際に並列配置される印刷体２２の側面同士が接触する（干渉する）ことを防止するために、印刷体２２及び表面保護膜２３の厚み分のスペースを空ける必要があるところ、印刷体２２の厚みを薄肉化できることで、印刷体２２間の距離Ｍを微小なもの（具体的には０．５ｍｍ程度）とすることができる。よって１枚のアルバム用台紙２１に並列配置される２枚の印刷体２２に効果的に一体感を持たすことができる。よって特に２枚の印刷体２２の２面に渡って連続する画像を印刷表示する場合に、一段と一体感があって見栄えが良く、ビジュアル性に優れたアルバム１とすることができる。
更にポリエチレンテレフタレートを主原料とするフィルムでシート層２１ｂを形成する構成とすることで、一段と防湿性及び耐久性に優れるアルバム用台紙２１とすることができる。よって一段と防湿性及び耐久性に優れ、長期保存に適したアルバム１とすることができる。
またページ構成体２０ａを形成する印刷体２２に、写真画像Ｐと装飾画像Ｓとを印刷形成する構成とすることで、印刷体２２に写真画像Ｐや装飾画像Ｓの自由なレイアウトを容易に形成することができる。また１枚の印刷体２２に複数の画像を容易に表示させることができる。よってビジュアル性に優れると共に、オリジナル性のあるアルバム１とすることができ、販売時に一段と他のアルバムとの差別化を図ることができる。更に印刷体２２に写真画像Ｐと装飾画像Ｓとを合成印刷する構成とすれば、一段とビジュアル性に優れると共に、一段とオリジナル性のあるアルバム１とすることができる。
またページ部２０を本体部１０に貼り付けるだけの構成であるので、アルバム１の製造工程の簡略化と製造コストの低コスト化を実現することができる。
また並列配置させた２枚の芯材１１の表面全体に１枚のシート状部材からなる表紙１２を貼り付けることで、２枚の芯材１１を折り畳み可能に連結させた状態に形成する構成であることから、見開き自在な本体部１０を容易に形成することができる。よって一段と製造工程の簡略化を実現することができる。更に本体部１０を構成する２枚の芯材１１を折り畳み可能に連結させることで、持ち運びや保管に便利なアルバム１とすることができる。
また印刷体２２の大きさを、芯材１１と略同一な大きさとする構成とすることで、芯材１１の大きさ全体に写真画像Ｐや装飾画像Ｓを表示することができ、ビジュアル性に優れるアルバム１とすることができる。また芯材１１へのページ部２０の位置合わせを容易に行うことができ、一段と製造工程の簡略化を実現することができる。更に本実施形態においては、１枚のシート状部材からなる表紙１２の端部（図２に示す表紙１２における折り目線Ｌ１よりも外側の部分）を芯材１１のおもて面１１ｂ側に折り返して接着させる構成であることから、芯材１１に表紙１２を接着させた状態において、芯材１１のおもて面１１ｂと表紙１２の折り返し部分とが、いわばむき出し状態で露出されているところ、ページ部２０でこれらおもて面１１ｂと表紙１２の折り返し部分とを効果的に被覆する（隠す）ことができる。よって一段とビジュアル性に優れた、デザイン性の高いアルバム１とすることができる。
また表紙１２に装飾画像Ｓを設ける構成とすることで、ビジュアル性に優れると共に、オリジナル性のある表紙１２とすることができる。つまりビジュアル性に優れると共に、オリジナル性のある外観を備えるアルバム１とすることができる。よって販売時に一段と他のアルバムとの差別化を図ることができる。
更に表紙１２を１枚のシート状部材で形成することで、図１（ｂ）に示すように、アルバム１を開いた状態において、表紙１２の全面に渡って連なった画像を容易に表示（掲載）することができ、一段とビジュアル性に優れると共に、オリジナル性のある外観を備えるアルバム１とすることができる。
また表紙１２のうら面１２ａに表面保護膜を被覆させる構成とすることで、表紙１２に汚れや傷が付くことを効果的に防止することができる。
また印刷体２２の表面にそれぞれ表面保護膜２３を被覆させる構成とすることで、印刷体２２に汚れや傷が付くことを効果的に防止することができると共に、アルバム１を閉じた状態においては、隣接する印刷体２２同士が湿気等により接着することを効果的に防止することができる。更に表面保護膜２３をニスで形成する構成とすることで、光沢感、或いはつや消し感を備えたページ部２０とすることができ、高級感を演出することができる。
また複数のページ構成体２０ａが連結されてなるページ部２０の１対のうら面Ｒを１対の芯材１１にそれぞれ貼り付ける構成とすることで、図３（ａ）に示すように、屈曲領域Ｋにおいて、おもて面１２ｂが露出している部分と背板１３とをページ部２０で効果的に被覆する（隠す）ことができる。従って一段とビジュアル性に優れた、デザイン性の高いアルバム１とすることができる。
また本体部１０にページ部２０を貼り付けるための接着剤として、例えば両面テープを用いた場合には、作業性が良く、製造効率の良いアルバム１とすることができる。
【００３５】
つまり従来のアルバム２は図８に示すように、本体部３と、アルバム用台紙５を複数枚連結させてなるページ部４とを一体化させて形成されるものが一般的であった。
またアルバム用台紙５は図９に示すように、厚紙からなる基材層５ａと、基材層５ａの表裏に積層される感圧性接着剤からなる接着剤層５ｂと、接着剤層５ｂを剥離自在に被覆する透明のフィルムからなるフィルム層５ｃとで構成されるものが一般的であった。
またこのような従来のアルバム２においては、基材層５ａとフィルム層５ｃとの間に写真Ｔ（いわゆる現像写真）を挟み込むことで写真Ｔを保存、閲覧するものが一般的であった。
よってアルバム用台紙５の防湿性が十分でなく、アルバム用台紙５に反りやうねりが発生するという問題があった。
またアルバム用台紙５の芯材が厚紙のみで形成される構成となることで、アルバム用台紙５の強度が十分でなく、耐久性が劣ることから、長期使用に適したアルバムとすることができないという問題があった。
またアルバム用台紙５の芯材が厚紙のみで形成される構成となることで、一定の強度を持たすためにはアルバム用台紙５の厚みを厚肉なものとする必要があり、アルバム用台紙５の薄肉化を実現することができず、アルバムの薄肉化及び軽量化を実現することができないという問題があった。
また同一構成からなる複数のアルバム用台紙５を連結させて製本した構成であることから、アルバムの構成（形態等）が単調なものとなり、オリジナル性に欠けるという問題があった。
また基材層５ａとフィルム層５ｃとの間に写真Ｔを挟み込む構成であることから、自由なレイアウトで写真Ｔを配置することが困難であるという問題があった。
また現像された写真Ｔを用いる構成であることから、写真画像と、装飾画像とを組み合わせて表示することができず、オリジナル性のあるアルバムを形成することができないという問題があった。
更に図８（ｂ）に示すように、従来のアルバム２は、表紙３ａが無地で形成されるものが一般的であったことから、オリジナル性及びビジュアル性のある外観を有するアルバムとすることができないという問題があった。
【００３６】
従って本発明の実施形態に係るアルバム用台紙２１及びアルバム用台紙２１を用いてなるアルバム１の構成とすることで、防湿性及び耐久性に優れるアルバムとすることができる。またオリジナル性を有すると共に、ビジュアル性に優れ、製造工程の簡略化を実現することができるアルバムとすることができる。
【００３７】
次に図４〜図７を参照して、本発明の実施形態に係るアルバム１の製造方法を説明することで、本発明の実施形態に係るアルバム１を更に詳細に説明する。
【００３８】
まず図４（ａ）を参照して、表紙形成工程Ｕにより、表紙１２を形成する所定大きさのシート状部材を準備する。なお本実施形態においては、シート状部材として透明のフィルムからなる表面保護膜を備えるフォトペーパーを用いる構成としてある。
なお図４（ａ）に示すシート状部材の縦の長さＨは、３３７ｍ程度することが望ましい。
また図４（ａ）に示すシート状部材の横の長さＪは、６６０ｍｍ程度することが望ましい。
次に図４（ｂ）を参照して、シート状部材における、芯材１１を貼り付ける面に折り目線Ｌ１を形成すると共に、折り目線Ｌ１に沿ってシート状部材の仮折りを行う。この折り目線Ｌ１の形成及びシート状部材の仮折りは、図示しない機械を用いて行う。
次に図４（ｃ）を参照して、折り目線Ｌ１を形成した面の所定領域（具体的には、芯材１１と背板１３とを貼り付ける領域）に接着剤３０を塗布する。なお接着剤３０としては、シート状部材と芯材１１及び背板１３とを貼り合わせることができるものであれば、如何なるものを用いてもよい。
例えば両面テープ、にかわ等を用いることができる。
次に図５（ａ）を参照して、シート状部材の所定位置（具体的には、２枚の芯材１１をシート状部材で折り畳み可能に連結させることができると共に、２枚の芯材１１の間に背板１３を配置できる位置、更に具体的には図４（ｃ）において１点鎖線で囲む位置）に、所定大きさのチップボールからなる芯材１１及び背板１３を貼り付ける。
次に図５（ｂ）を参照して、シート状部材を折り目線Ｌ１で折り返して、シート状部材の端部（図４（ｂ）に示すシート状部材の折り目線Ｌ１よりも外側の部分）を芯材１１のおもて面１１ｂ側及び背板１３のおもて面１３ａ側に貼り付ける。また同時に屈曲領域Ｋとなる領域においてはシート状部材同士を貼り付ける。
以上の工程により、表紙形成工程Ｕが終了し、芯材１１の一面側（本実施形態においては、図２に示す芯材１１のうら面１１ａ側）に表紙１２が設けられる。
【００３９】
次に図５（ｃ）を参照して、ページ部形成工程Ｖにより、印刷体２２を形成する所定大きさの印画紙を準備して、写真画像Ｐや装飾画像Ｓ（図示しない）を印刷する。
なお写真画像Ｐや装飾画像Ｓは、例えば画像描画ソフトや画像処理ソフトを用いて印画紙に印刷形成することができる。
本実施形態においては、画像描画ソフトや画像処理ソフトを用いて所定の写真画像Ｐや装飾画像Ｓ、或いは写真画像Ｐと装飾画像Ｓとの合成画像を形成し、印画紙に印刷する構成としてある。
また印画紙への写真画像Ｐや装飾画像Ｓの印刷は、例えばインクジェット印刷や、印画紙出力を用いて行うことができる。
本実施形態においては、プリンターを用いて印画紙出力で行う構成としてある。
次に図示していないが、写真画像Ｐや装飾画像Ｓを印刷した印画紙の表面全体に表面保護剤を塗布することで、印刷体２２の表面に表面保護膜２３を被覆させる。
なお本実施形態においては、表面保護剤としてＵＶニスを用い、機械を用いて印刷体２２の表面に表面保護膜２３を被覆させる構成としてある。
次に図６（ａ）を参照して、既述した基材層２１ａと、シート層２１ｂと、接着剤層２１ｃとを積層させてなるアルバム用台紙２１を準備する。より具体的には、折り目線Ｌ２を挟んで２枚の印刷体２２を並列配置させた状態で貼り付けることができる大きさのアルバム用台紙２１を準備する。
そしてアルバム用台紙２１の接着剤層２１ｃを形成する接着剤４０を介して１枚のアルバム用台紙２１と２枚の印刷体２２とを貼り合わせる。
これにより、図６（ｂ）に示すように、ページ構成体２０ａが形成される。なおページ部形成工程Ｖにおいては、この工程を所定回数（本実施形態においてはページ構成体２０ａを５枚作成するために５回）繰り返す。
また接着剤層２１ｃを形成する接着剤４０としては、アルバム用台紙２１と印刷体２２とを貼り合わせることができるものであれば、如何なるものを用いてもよい。が、好適には感熱性接着剤を用いることが望ましい。本実施形態においては感熱性接着剤を用いる構成としてある。
次に図６（ｂ）、図６（ｃ）を参照して、ページ構成体２０ａを折り目線Ｌ２に沿って２枚の印刷体２２が内側で対向するように２つ折りにする。そして２つ折りにした状態で、接着剤５０を介して複数枚のページ構成体２０ａを相互に貼り付ける。なお図６（ｃ）は、相互に貼り合わされる５枚のページ構成体２０ａのうち、３枚のみを示すものである。
また接着剤５０としては、複数枚のページ構成体２０ａを相互に貼り合わせることができるものであれば、如何なるものを用いてもよい。
例えば両面テープ、澱粉系接着剤、サクビ系接着剤等を用いることができる。
次に図７（ａ）を参照して、２つ折りにした状態で相互に貼り合わされてある複数枚のページ構成体２０ａを切断機により切断線Ｌ３に沿って切断する。
これにより、ページ部２０が形成される。またこの工程により、アルバム用台紙２１と印刷体２２との貼り合わせ工程で生じる、アルバム用台紙２１と印刷体２２との間におけるズレ部分を切断することができ、アルバム用台紙２１と印刷体２２との寸法合わせを行うことができる。
【００４０】
次に図７（ｂ）を参照して、ページ部貼り付け工程Ｗにより、接着剤（図示しない）を介して芯材１１にページ部２０を貼り付ける。なおこの際、ページ部２０の折り目線Ｌ２（図６参照）が屈曲領域Ｋ（図３参照）の幅の中央に配置されるように位置合わせを行う。
これにより、図７（ｂ）に示すように、芯材１１の他面側（本実施形態においては図２に示す芯材１１のおもて面１２ｂ側）にページ部２０が設けられる。
以上の工程を経ることで、図７（ｃ）に示す本発明の実施形態に係るアルバム１が形成される。
【００４１】
なお本実施形態においては、芯材１１、基材層２１ａ、印刷体２２を四角形若しくは長方形で形成する構成としたが、必ずしもこのような構成に限るものではなく、芯材１１、基材層２１ａ、印刷体２２の形状は適宜変更可能である。
また本実施形態においては、芯材１１を２枚備えることで、１か所で見開き自在な２面を備える本体部１０とする構成としたが、必ずしもこのような構成に限るものではなく、芯材１１の枚数、本体部１０を見開き自在とすることができる部分の数は適宜変更可能である。
また写真画像Ｐ、装飾画像Ｓの構成（デザイン、配置位置、大きさ、数等）、ページ部２０の構成（ページ構成体２０ａの枚数、印刷体２２の枚数等）も本実施形態のものに限るものではなく、適宜変更可能である。
また本実施形態においては、ページ部２０を構成する複数枚の印刷体２２にそれぞれ異なる画像を印刷する構成としたが、必ずしもこのような構成に限るものでない。例えばページ構成体２０ａを構成する２枚の印刷体２２の２面に渡って連続する画像を印刷するような構成としてもよい。このような構成とすることで、一段とオリジナル性を有すると共に、ビジュアル性に優れたアルバム１とすることができる。
【産業上の利用可能性】
【００４２】
本発明は、記念写真を保存、閲覧することができるアルバムに利用することができる。
【符号の説明】
【００４３】
１          アルバム
２          アルバム
３          本体部
３ａ        表紙
４          ページ部
５          アルバム用台紙
５ａ        基材層
５ｂ        接着剤層
５ｃ        フィルム層
１０        本体部
１１        芯材
１１ａ      うら面
１１ｂ      おもて面
１２        表紙
１２ａ      うら面
１２ｂ      おもて面
１３        背板
１３ａ      おもて面
２０        ページ部
２０ａ      ページ構成体
２１        アルバム用台紙
２１ａ      基材層
２１ｂ      シート層
２１ｃ      接着剤層
２２        印刷体
２３        表面保護膜
３０        接着剤
４０        接着剤
５０        接着剤
Ｂ          長さ
Ｃ          長さ
Ｄ          長さ
Ｅ          長さ
Ｆ          長さ
Ｇ          長さ
Ｈ          長さ
Ｊ          長さ
Ｋ          屈曲領域
Ｌ１        折り目線
Ｌ２        折り目線
Ｌ３        切断線
Ｍ          距離
Ｐ          写真画像
Ｒ          うら面
Ｓ          装飾画像
Ｔ          写真
Ｕ          表紙形成工程
Ｖ          ページ部形成工程
Ｗ          ページ部貼り付け工程
【図１】
2014061604.tif 000003
【図２】
2014061604.tif 000004
【図３】
2014061604.tif 000005
【図４】
2014061604.tif 000006
【図５】
2014061604.tif 000007
【図６】
2014061604.tif 000008
【図７】
2014061604.tif 000009
【図８】
2014061604.tif 000010
【図９】
2014061604.tif 000011